(57)【特許請求の範囲】
【請求項１】
２本のガラス管と、各ガラス管の周面に部分的に設けられた金属層と、各ガラス管の表面と摺接させる摩擦材と、前記ガラス管を管軸回りに回転駆動する駆動手段と、前記摩擦材に夫々接続された２本の導線とを備え、前記ガラス管と前記摩擦材との摩擦により発生する静電気が前記導線により取り出されるようになしてあることを特徴とする静電気発生装置。
【請求項２】
前記ガラス管の内部にはマイナスイオン化された珪素粒が封入されており、前記ガラス管の両端は円錐形をなしていることを特徴とする請求項１記載の静電気発生装置。
【発明の詳細な説明】
【技術分野】
【０００１】
本発明は、静電気発生装置に関する。
【発明の開示】
【発明が解決しようとする課題】
【０００５】
本発明は、好適な条件で静電気を発生し得る静電気発生装置を用いて、人体に帯電している静電気を低減／除去することに利用できる静電気発生装置を提供することを目的とする。
【課題を解決するための手段】
【０００６】
請求項１記載の静電気発生装置は、２本のガラス管と、各ガラス管の周面に部分的に設けられた金属層と、各ガラス管の表面と摺接させる摩擦材と、前記ガラス管を管軸回りに回転駆動する駆動手段と、前記摩擦材に夫々接続された２本の導線とを備え、前記ガラス管と前記摩擦材との摩擦により発生する静電気が前記導線により取り出されるようになしてあることを特徴とする。
【０００７】
ガラス管を回転させると、金属層が設けられていないガラス管表面と摩擦材とが摺接し、静電気が発生する。ここで摩擦タイミング等、種々の要因が異なることにより、各ガラス管における静電気には電位差が生じる。従ってこれらガラス管に接続された導線からは、相対的に高電位と低電位とを取り出すことができる。
【０００８】
請求項２記載の静電気発生装置は、請求項１において、前記ガラス管の内部にはマイナスイオン化された珪素粒が封入されており、前記ガラス管の両端は円錐形をなしていることを特徴とする。
【０００９】
マイナスイオン化された珪素粒が封入された２本のガラス管からはマイナスイオンが放出され、両端が円錐形をなすことにより、ガラス管から放出されたマイナスイオンの、空気浄化作用が高められる。従ってマイナスイオンが存在する好適な空間で静電気を発生させることができる。
【発明の効果】
【００１０】
以上のように本発明に係る静電気発生装置は、２本のガラス管を回転させ、ガラス管の表面と摩擦材とを摺接させることにより、好適条件において静電気を発生させることができる。
【発明を実施するための最良の形態】
【００１１】
以下、本発明をその実施の形態を示す図面に基づき具体的に説明する。図１は、本発明に係る静電気発生装置を示す斜視図である。図中１は珪素蒸着シートが全面に貼着された透明な矩形のアクリル製基板であり、その上に、トランス／整流器と、２個のモータ3a、(3b)と、２本のイオン棒4a、(4b)と、コンデンサと、スイッチとを備え、これらは全て、珪素蒸着シートが全面に貼着された透明なアクリル板からなる直方体状のカバー７で覆ってあり、カバー７の下端はアクリル製基板１に固着されている。
【００１２】
図２は、２本のイオン棒4a、4b及びこれを回転駆動するモータ3a、3bの取り付け状態を示す平面図であり、図３は、図２のIII-III 線における要部の断面図である。イオン棒4a、4bは、両端が円錐形をなす同サイズ（直径、約30mm、全長、約180 mm）のガラス管内にマイナスイオン化された珪素粒が封入されてなる。
【００１３】
イオン棒4aの直胴部の周面には、長さが約110 mmであり、幅が約５（３〜10）mmであり、厚みが約0.１mmである複数のアルミニウム箔９が、周方向に所定間隔を隔て、その長辺を管軸方向に一致させて貼着されている。イオン棒4aの直胴部に貼着された各アルミニウム箔９、９間には、夫々、長さが約13（10〜30）mmであり、幅が約５（３〜10）mmであり、厚みが約0.１mmである銅箔10が、管軸方向に６、７枚ずつ、適宜間隔を隔てて貼着されており、あるアルミニウム箔９の両側の銅箔10は貼付位置が互い違いになしてある。
【００１４】
イオン棒4bの直胴部の周面には、長さが約110 mmであり、幅が約５（３〜10）mmであり、厚みが約0.１mmである複数の銅箔10が、所定間隔を隔て、その長辺を管軸方向に一致させて貼着されている。イオン棒4bの直胴部に貼着された各銅箔10、10間には、夫々、長さが約13（10〜30）mmであり、幅が約５（３〜10）mmであり、厚みが約0.１mmであるアルミニウム箔９が、管軸方向に６、７枚ずつ、適宜間隔を隔てて互い違いに貼着されており、ある銅箔10の両側のアルミニウム箔９は貼付位置が互い違いになしてある。
なお、イオン棒4a、4bに貼着する金属箔は、アルミニウム、銅に限定されるものではなく、異種のものであればよい。そして、その形状も上述したものに限定されるものではなく、各イオン棒4a、4bにおいてその表面積が異なっていればよい。
【００１５】
アクリル製基板１上の対向する両縁部には、イオン棒4a、4bを、棒軸回りの回転を可能に水平に軸受けを介して平行保持する保持台11、12が固設されており、イオン棒4aの側方にはモータ3aが固定されており、イオン棒4bの側方にはモータ3bが固定されている。イオン棒4aの一端部と、モータ3aの出力軸に取り付けられたプーリとにはベルト23a が張架されており、またイオン棒4bの一端部とモータ3bとにはベルト23b が張架されている。これによりイオン棒4a、4bは、図３に示す如く、互いに逆方向に回転せしめられるようになしてある。
【００１６】
保持台11、12の上面には、アクリル板からなる摩擦布保持板13a 、13b が架設されて、ボルト24a 、24b にて螺子止めされている。摩擦布保持板13a 、13b の対向する縁部には、摩擦布8a、8b（例えばアクリル等の静電気を起こし易い合成繊維製のフェルト）がその１辺で夫々接着保持されている。これにより摩擦布8aはイオン棒4a、4b間の隙間へ垂下してイオン棒4aの表面と接触し、また摩擦布8bはイオン棒4a、4b間の隙間へ垂下してイオン棒4bの表面と接触している。
【００１７】
摩擦布保持板13a 、13b を保持台12に固定しているボルト24a 、24b は、コード16a 、16b も共に螺子止めしており、コード16a 、16b はカバー７に設けられた孔から装置外へ引き出されている。コード16a 、16b の先端には人が握るための銅製の握り棒21、22が夫々取り付けられている。
【００２０】
図４は、以上の如く構成された本発明装置の回路を示す図である。家庭用電源（ＡＣ100 Ｖ、1.4 Ａ）にてモータ3a、3bを駆動させ、イオン棒4a、4bを互いに逆方向へ回転させる。そうすると、摩擦布8a、8bと、イオン棒4a、4b表面、及びここに貼着されたアルミニウム箔９及び銅箔10との摩擦によって、静電気が発生する。このとき摩擦タイミング等、種々の要因が異なることにより、イオン棒4a、4bにおける起電力に差があり、コード16a 、16b の電位間に電位差が生じる。これにより摩擦布8a、8bは、正又は負の異なる電位の電極として機能する。
【００２１】
また装置全体が珪素シートで覆われているので、装置内は外部空間にある静電気から遮断されている（特開平８−317995号公報参照）。従って外部の静電気の影響を受けることなく、内部で発生させた静電気を取り出すことができる。
【図面の簡単な説明】
【００２８】
【図１】本発明に係る静電気発生装置を示す斜視図である。
【図２】図１に示すイオン棒の取り付け状態を示す平面図である。
【図３】図２のIII-III 線に相当する要部の断面図である。
【図４】本発明装置の回路を示す図である。
【符号の説明】
【００２９】
１  アクリル製基板
３ａ、３ｂ  モータ
４ａ、４ｂガラス管
７  カバー
８ａ、８ｂ  摩擦布
９  アルミニウム箔
１０  銅箔
１６ａ、１６ｂ、１９  コード
２１、２２  握り棒
【図１】
0004509137.tif 000002
【図２】
0004509137.tif 000003
【図３】
0004509137.tif 000004
【図４】
0004509137.tif 000005